(57)【特許請求の範囲】
【請求項１】
サッシ枠（１）を躯体開口部（Ａ）の室外側に取付ける外枠体（２）と、その外枠体（２）に室内側より挿入係止する内枠体（４）から構成し、外枠体（２）を構成する一対の縦枠材（２０，２０）間にルーバー（６）を水平に、しかも一定間隔で上下揺動可能に軸支し、縦枠材（２０）にルーバー作動装置（８）の収納室（１２）を設け、ルーバー（６）を作動装置（８）にて開閉揺動するものであり、外枠体（２）と内枠体（４）の少なくとも一方に閉鎖ルーバー（６）の室内面に密接するタイト材（Ｔ）を嵌挿し、ルーバー（６）を支持体（６０）と、支持体（６０）の室外側に設けるガラス板（Ｇ）、及び支持体（６０）の左右に嵌挿するホルダー（７）より構成し、支持体（６０）の下部に少なくとも下位閉鎖ルーバー（６'）の上面に密接するシール材（Ｓ）を嵌挿し、ルーバー（６）を縦列閉鎖状態より略水平状態まで開放揺動し得るようにしたことを特徴とするルーバー窓。
【発明の詳細な説明】
【０００１】
【発明の属する技術分野】
この発明は、ルーバーを開閉自在に設けるルーバー窓に関する。
【０００２】
【従来の技術】
ルーバー窓は、サッシ縦枠材の間にルーバーを一定間隔で水平に軸支し、これを作動装置にて開閉揺動するもので、換気機能が高い上、雨等の吹き込みを避けながら換気量の調整を行うことができる利点を有している。
ルーバーは閉鎖時に水密性と気密性を保つため、各ルーバーを少し傾斜状態に閉鎖し、ルーバーの下部と下位ルーバーの上部に重なるように閉鎖するか（例えば実開昭55-154288 号公報、実開昭59-45434号公報、実開昭59-131488 号公報、実開昭61-85688号公報）、各ルーバーを面一に閉鎖していた。（例えば実開昭60-146170 号公報、実開昭63-62590号公報、実開昭63-58185号公報）
【０００３】
【発明が解決しようとする課題】
各ルーバーを少し傾斜状態に、しかも一部重なるように閉鎖するルーバー窓にあっては、風によってルーバーが煽られる問題点があるし、その煽りによってルーバーががたつく問題点もあった。
各ルーバーを面一に閉鎖するルーバー窓にあっては、ルーバーの閉鎖状態における水密性や気密性を高くすると、ルーバーの開閉が重くなり、ルーバーの開閉を軽くすると、水密性や気密性が劣る問題点があった。
【０００４】
何れのルーバー窓においても、ルーバーのガラスが破損した場合、破損ガラス片の一部が室内に飛込み、室内で散乱し、その破損ガラス片によって人身が怪我をする問題点もあった。
そこでこの発明は、従来技術の有するこのような問題点に鑑みてなされたものであり、その目的とするところは、ルーバー閉鎖時の水密性と気密性の向上と、ガラス破損による二次被害を少なくしたルーバー窓を提供することにある。
【０００５】
【課題を解決するための手段】
上記目的を達成するために、本発明のルーバー窓は、サッシ枠を躯体開口部の室外側に取付ける外枠体と、該外枠体に室内側より挿入係止する内枠体から構成し、外枠体を構成する一対の縦枠材間にルーバーを水平に、しかも一定間隔で上下揺動可能に軸支し、縦枠材にルーバー作動装置を備え付け、外枠体と内枠体の少なくとも一方に閉鎖ルーバーの室内面に密接するタイト材を取付けると共に、ルーバーの下部に少なくとも下位閉鎖ルーバーの上面に密接するシール材を嵌挿するものである。
【０００６】
ルーバーは縦列閉鎖状態より略水平状態まで開閉揺動し得る。しかも外枠体と内枠体の少なくとも一方に閉鎖ルーバーの室内面に密接するタイト材を取付け、支持体の下部に少なくとも下位閉鎖ルーバーの上面に密接するシール材を嵌挿するものであるから、ルーバーが縦列状態に閉鎖して水密性と気密性は保たれる。
ルーバーを支持体と、支持体の室外側に設けるガラス板、及び支持体の左右に嵌挿するホルダーより構成したことにより、ガラス板が例え破損しても、破損ガラス片が室内まで飛込むことがない。
【０００７】
【発明の実施の形態】
次に本発明によるルーバー窓の実施形態を図１と図２に基づき説明すれば、ルーバー窓はサッシ枠１を構成する一対の縦枠材２０，２０間にルーバー６を水平に、しかも一定間隔で上下揺動可能に軸支し、そのルーバー６を縦枠材２０に備え付けた作動装置８にて開閉揺動するものである。
サッシ枠１は躯体開口部Ａの室外側に取付ける外枠体２と、該外枠体２に室内側より挿入して係止する内枠体４から構成するもので、外枠体２を左右一対の縦枠材２０と、上下一対の横枠材３０から構成し、内枠体４を左右一対の縦部材４０と、上下一対の横部材５０から構成するものである。
【０００８】
外枠体２を構成する縦枠材２０は図４の如く、外周壁２１の室内側より内周向きに内向壁２３を突出し、内向壁２３の先端より室外向きに外周壁２１と平行する内周壁２２を設け、外周壁２１の外縁に内向壁２３と相対する室外壁２４を突設し、外周壁２１と内周壁２２、及び内向壁２３と室外壁２４によって作動装置８の収納室１２を形成する一方、外周壁２１の内縁に外向係止部２６を設け、内周壁２２の外縁に内向係止部２７を設け、外周壁２１より外周向きに取付壁２５を突設するものである。
【０００９】
内枠体４を構成する縦部材４０は、室内壁４１の内周端に縦枠材２０の内周壁２２と適宜間隔を有して相対する内側壁４２を設け、内側壁４２の先端に室外片４３を突設し、該室外片４３に縦枠材２０の内向係止部２７に係止する外周係止爪４７を突設すると共に、室内壁４１の外周端に縦枠材２０の外向係止部２６に係止する係止爪４６を設け、室外片４３に外向袋溝４４を、室内壁４１に縦枠材２０の内向壁２３に当接する規制壁４５を形成する。
【００１０】
外枠体２を構成する横枠材３０は図３の如く、外周壁３１の室内側より内周向きに内向壁３３を突出し、内向壁３３の先端より室外向きに外周壁３１と平行する内周壁３２を設け、外周壁３１の外縁に内向壁３３と相対する水切り片３４を突設し、外周壁３１と内周壁３２、及び内向壁３３と水切り片３４によって開口室１３を形成する一方、外周壁３１の内縁に外向係止部３６を設け、内周壁３２の外縁に内向係止部３７を設け、外周壁３１より外周向きに取付壁３５を突設するもので、開口室幅Ｈが縦枠材２０の収納室幅ｈより大きい以外、縦枠材２０と略同形状を成すものである。
【００１１】
内枠体４を構成する横部材５０は、室内壁５１の内周端に横枠材３０の内周壁３２と適宜間隔を有して相対する内側壁５２を設け、内側壁５２の先端に室外片５３を突設し、該室外片５３に横枠材３０の内向係止部３７に係止する外周係止爪５７を突設すると共に、室内壁５１の外周端に横枠材３０の外向係止部３６に係止する係止爪５６を設け、室外片５３に外向袋溝５４を、室内壁５１に横枠材３０の内向壁３３に当接する規制壁５５を形成するもので、室内壁５１が縦部材４０より長い以外、縦部材４０と略同形状を成す。
【００１２】
ルーバー６は図５と図６の如く、支持体６０の室外側にガラス板Ｇを離脱不能に保持し、その左右にホルダー７を嵌挿するもので、支持体６０は背板６１の上下縁に外向片６２，６３を相対設し、下部外向片６３の先端に下位閉鎖ルーバー６' の前面に垂下する前垂片６５を設け、背板６１の下部に下向袋溝６４を形成するもので、背板６１の上部に室外向きに下降傾斜する斜壁６６を設け、下向袋溝６４に下位閉鎖ルーバー６' の上面に密接するシール材Ｓを嵌挿する。
【００１３】
ホルダー７は支持体６０の側端部に嵌合する嵌合部７１と、嵌合部７１の上部より室内に向けて傾斜角度θで延長するアーム７２から成り、アーム７２の中間部を縦枠材２０の内周壁２２に、アーム７２の先部を縦枠材２０の収納室１２にて上下動する作動装置８の連杆８１に軸支し、内周壁２２の軸支部Ｐを中心にして揺動するものである。
縦部材４０の外向袋溝４４と横部材５０の外向袋溝５４に、閉鎖ルーバー６の室内面に密接するタイト材Ｔを嵌挿する。
【００１４】
作動装置８としては、例えば図７の如く縦枠材２０の収納室１２で上下動する連杆８１と、連杆８１に挿入係止したり連結する作動板８２、作動板８２を揺動するハンドル８３より構成するものを用い、連杆８１にホルダー７より延長するアーム７２の先部を一定間隔で軸支し、ハンドル８３を従来と同様にサッシ枠１の室内側、内枠体４の室内壁４１に取付け、ハンドル８３の回動により全ルーバー６を一度に開閉する。
【００１５】
本発明のルーバー窓は上述の如く構造であるから、予め外枠体２と内枠体４を組立て構成し、内枠体４の外向袋溝４４，５４にシール材Ｓを嵌挿しておくと共に、支持体６０の室外側にガラス板Ｇを嵌着し、その左右にホルダー７を取付けたルーバー６を構成しておく。
先ず躯体開口部Ａの室外側に外枠体２を取付け、次に室内側より内枠体４を外枠体２に向けて挿入すれば、内枠体４の係止爪４６，４７が外枠体２の係止部３６，３７に係止し、外枠体２と内枠体４が離脱不能となる。
【００１６】
縦枠材２０間に軸支するルーバー６と、収納室１２に備え付ける作動装置８の主要部の枠体への取付けは、外枠体２を躯体開口部Ａに取付ける前に行ってもよいし、外枠体２を躯体開口部Ａに取付けた後に行ってもよい。
ルーバー６は閉鎖状態において縦列し、各ルーバー６のガラス板Ｇが面一になり、下向袋溝６４に嵌挿したシール材Ｓが下位閉鎖ルーバー６' の上面に夫々密接すると共に、サッシ枠１の外向袋溝４４，５４に嵌挿したタイト材Ｔが、縦列閉鎖している各ルーバー６の室内面に密接する。
【００１７】
閉鎖状態にあるルーバー６を開放するには、作動装置８のハンドル８３を回動し、該ハンドル８３の回動にて作動板８２を揺動し、作動板８２を介して連杆８１が上下動すれば、各ルーバー６のホルダー７より延長するアーム７２の中間部は縦枠材２０の内周壁２２に軸支され、その軸支部Ｐを中心にして上下揺動可能となり、ホルダー７の先部が連杆８１に軸支しているため、軸支部Ｐを中心にして略水平状態まで開放する。
【００１８】
【実施例】
内枠体４を構成する縦部材４０と横部材５０、及びルーバー６を構成する支持体６０とホルダー７を合成樹脂にて形成し、しかも支持体６０の背板６１を中空に形成することが望ましい。また内枠体４の外向袋溝４４，５４に嵌挿するシール材Ｓを、エンドレスに嵌挿することが望ましい。
また内枠体４に形成する外向袋溝４４，５４を、図９の如く外枠体２の内周壁３２の先部に形成しても同様の目的を達成するし、ルーバー６の作動装置８は前記例に限定されるものではなく、公知の作動装置８を用いることも可能である。
【００１９】
【発明の効果】
本発明によるルーバー窓は上記構造のとおりであるから、次に記載する効果を奏する。
外枠体と内枠体の少なくとも一方に閉鎖ルーバーの室内面に密接するタイト材を取付け、支持体の下部に少なくとも下位閉鎖ルーバーの上面に密接するシール材を嵌挿するものであるから、ルーバーを縦列状態に閉鎖しても、水密性と気密性を充分に保つことができる。しかもルーバーは縦列閉鎖状態より略水平状態まで開閉揺動し得るので、視界を妨げることが少ない。
【００２０】
サッシ枠を躯体開口部の室外側に取付ける外枠体と、該外枠体に室内側より挿入係止する内枠体から構成するものであるから、サッシ枠の取付けが一段と容易になるし、ルーバー作動装置の取付けも簡単容易になる。
またルーバーを支持体と、支持体の室外側に設けるガラス板、及び支持体の左右に嵌挿するホルダーより構成したことにより、ガラス板が例え破損しても、破損ガラス片が室内まで飛込むことがない。その結果、ガラス破損による二次被害を著しく少なくし得る。
【図面の簡単な説明】
【図１】本発明ルーバー窓の構造例を示す縦断面図である。
【図２】その横断面図である。
【図３】外枠体と内枠体の取付け例を示す縦断面図である。
【図４】その横断面図である。
【図５】ルーバーの一部切欠分解平面図である。
【図６】（Ａ）（Ｂ）（Ｃ）ガラス板の取付け例とホルダーの側面図である。
【図７】（Ａ）（Ｂ）作動装置の概略構造を示す要部断面図である。
【図８】縦枠材と縦部材の関係を示す側面図である。
【図９】横枠材と横部材の関係を示す側面図である。
【符号の説明】
１  サッシ枠
２  外枠体
２０  縦枠材、２６，２７  係止部
３０  横枠材、３６，３７  係止部
４  内枠体
４０  縦部材、４６，４７  係止爪
５０  横部材、５６，５７  係止爪
４４，５４  外向袋溝
６，６'   ルーバー、６０  支持体
７  ホルダー、７２  アーム
８  作動装置、８１  連杆、８２  作動板、８３  ハンドル
１２  収納室、１３  開口室
Ａ  躯体開口部
Ｇ  ガラス板、Ｓ  シール材、Ｔ  タイト材
Ｈ  開口室幅、ｈ  収納室幅
θ  アームの傾斜角度
【図１】
0003666076.tif 000002
【図２】
0003666076.tif 000003
【図３】
0003666076.tif 000004
【図４】
0003666076.tif 000005
【図５】
0003666076.tif 000006
【図６】
0003666076.tif 000007
【図７】
0003666076.tif 000008
【図８】
0003666076.tif 000009
【図９】
0003666076.tif 000010